(57)【要約】【課題】背骨を痛めた患者が横になっても背骨を痛めること無く、安心して休養することが出来て、治療に要する期間を短縮することが可能なコルセット用補助部材１及びコルセット２を提供する。【解決手段】コルセットの背面部に取り付けられ、背骨を痛めた患者の腰部背面に当接されるコルセット用補助部材１であって、前記患者の腰部背面に巻き付けられる腰部背面固定部１０と、所定の厚みと柔軟性とを有し、上下方向に略長方形状であり、前記腰部背面固定部１０の内側の左右方向の中央近傍から側端近傍までの部分に取り付けられ、前記患者の腰部背面の背骨側端近傍から左右方向の側端近傍までの部分に当接される左右一対の当接部１１ａ、１１ｂとを備えることを特徴とするコルセット用補助部材１を提供する。又、前記コルセット用補助部材１を取り付けたコルセット２を提供する。【選択図】図６
2014236808.tif 000002
【特許請求の範囲】
【請求項１】
コルセットの背面部に取り付けられ、背骨を痛めた患者の腰部背面に当接されるコルセット用補助部材であって、
前記患者の腰部背面に巻き付けられる腰部背面固定部と、
所定の厚みと柔軟性とを有し、上下方向に略長方形状であり、前記腰部背面固定部の内側の左右方向の中央近傍から側端近傍までの部分に取り付けられ、前記患者の腰部背面の背骨側端近傍から左右方向の側端近傍までの部分に当接される左右一対の当接部と
を備えることを特徴とするコルセット用補助部材。
【請求項２】
請求項１に記載のコルセット用補助部材を背面部に取り付けたコルセットであって、
前記背面部の内側の左側端部が、左側の脇面部の外側の右側端部に取り付けられるとともに、前記背面部の内側の右側端部が、右側の脇面部の外側の左側端部に取り付けられて、前記背面部が、左右一対の脇面部の外側から取り付けられることを特徴とするコルセット。
【発明の詳細な説明】
【技術分野】
【０００１】
本発明は、コルセット用補助部材及びこれを用いたコルセットに関し、詳しくは、背骨を痛めた患者が横になっても背骨を痛めること無く、安心して休養することが出来て、治療に要する期間を短縮することが可能なコルセット用補助部材及びこれを用いたコルセットに関する。
【背景技術】
【０００２】
コルセットとは、胸部から腰部までの体形を整えるために着用する婦人用下着を意味するが、医療、整形外科等においては、脊柱の固定、矯正等の目的で用いられる医療用補装具を意味する。この医療用補装具に対応するコルセットは、腰痛やぎっくり腰、ヘルニア等を患った患者の腹部から腰部までを固定し、その治療促進のために用いられている。従来より、このコルセットは、治療促進を向上させるために、多種多様の技術が存在する。
【０００３】
例えば、特開平６−２３５１０１号公報（特許文献）には、伸縮性生地の背当部の一側にメッシュ生地の脇面部と腹面部及び面フアスナー付き脇面部を一連に長く連設するとともに、背当部の他側にメッシュ生地の面フアスナー付き止着部を短く連設して、面フアスナー付き脇面部と面フアスナー付き止着部との引き締め止着位置を脇部に形成したことを特徴とするコルセツトが開示されている。これにより、コルセットの着用を容易にするとともに身体のウエスト部への適合、着用性、姿勢の矯正性能やプロポーションを効果的に向上し、さらに治療性能を向上しているとしている。
【０００４】
又、特開２００３−６１９９３号公報（特許文献）には、左右方向に延びるフロントベルト体と、同じく左右方向に延びるバックベルト体と、前記バックベルト体のための方向転換手段とを備えるベルト状コルセットが開示されている。この方向転換手段は、左右両側に各々設けられ、前記フロントベルト体の後面に前記バックベルト体の前面が重ね合され、かつ４つの両側部を各々自由端として互いに前記の２枚のベルト体が固着される。又、前記した２枚のベルト体はいずれも、少なくとも左右方向に伸縮性を有し、長手方向中央部を腰部等の身体の後面部にて当てがった状態で、伸長させた時に発生する収縮力に抗して前記フロントベルト体を身体に巻き、当該身体の前面部で、前記フロントベルト体の左右両片の端部同士を面ファスナーなどの着脱自在手段で互いに取着する。又、バックベルト体における左右両片を各々、前記フロントベルト体の左右両片と同様にして前方に伸長させる。これによって、発生した収縮力に抗して前記方向転換手段によって両体側部で後方に折り返し、当該バックベルト体における左右折返し両片の端部同士を、あるいは前記左右折返し両片の端部を各々別個に前記バックベルト本体の後面に面ファスナーなどの着脱自在手段で身体の後側部にて前記収縮力に抗して取着できるようになしたことを特徴とする。これにより、治療日数、例えばギックリ腰などの腰痛の治療に要する日数を短縮することが可能なコルセットを提供することができるとしている。
【０００５】
又、特開２００４−２０９０５０号公報（特許文献）には、少なくとも一部分に伸縮部を含む帯状体からなり、患者の腰背部から腰腹部にかけて装着される腰部固定帯と、上記腰背部から上記腰腹部にかけて患者の骨盤傾斜角に沿ってほぼ平行に装着される骨盤固定帯とを備えることを特徴とする医療用コルセットが開示されている。これにより、腰部固定帯によって腹腔内圧を適度に上昇させつつ、骨盤固定帯によって骨盤全体をホールドするようにでき、その医療的作用はもとより、コルセットの体幹上部へのズレを解消でき、快適な装着感および外観性が得られるとしている。
【０００６】
又、実用新案登録第３１１１３０２号公報（特許文献）には、身体の腰部に当接する背当部と、身体の側面から前方に向かって巻き付け固定する巻付部とを備えたコルセットの前記背当部に用いるコルセット用補強部材が開示されている。このコルセット用補強部材は、身体の臀部から背部に向かって、順次曲がり強度が弱くなるように構成されていることを特徴とする。これにより、ユーザの体型に合致し、身体の臀部から背部にかけての湾曲度合い、曲がり具合に対応して腰部の適度な固定と動き易さを保持するとともに、装着感の優れたコルセット用補強部材、これを用いたコルセットを提供することができるとしている。
【先行技術文献】
【特許文献】
【０００７】
【特許文献１】特開平６−２３５１０１号公報
【特許文献２】特開２００３−６１９９３号公報
【特許文献３】特開２００４−２０９０５０号公報
【特許文献４】実用新案登録第３１１１３０２号公報
【発明の概要】
【発明が解決しようとする課題】
【０００８】
しかしながら、上述した特許文献１−４に記載の技術では、使用条件によって効果にばらつきがあったり、十分な効果が得られなかったりする問題があった。特に、背骨を痛めた患者に最適なコルセットが無く、従来のコルセットでは、患者の背骨への圧迫が著しく、治療日数が長引くという問題があった。又、治療日数が長引くと、着用したコルセットと皮膚とが擦れて、皮膚がただれて二次的な問題が生じ、悪循環が生じた。
【０００９】
そこで、本発明は、前記問題を解決するためになされたものであり、背骨を痛めた患者が横になっても背骨を痛めること無く、安心して休養することが出来て、治療に要する期間を短縮することが可能なコルセット用補助部材及びこれを用いたコルセットを提供することを目的とする。
【課題を解決するための手段】
【００１０】
本発明者は、鋭意研究を重ねた結果、本発明に係る新規なコルセット用補助部材及びこれを用いたコルセットを完成させた。
【００１１】
即ち、コルセットの背面部に取り付けられ、背骨を痛めた患者の腰部背面に当接されるコルセット用補助部材であって、前記患者の腰部背面に巻き付けられる腰部背面固定部と、所定の厚みと柔軟性とを有し、上下方向に略長方形状であり、前記腰部背面固定部の内側の左右方向の中央近傍から側端近傍までの部分に取り付けられ、前記患者の腰部背面の背骨側端近傍から左右方向の側端近傍までの部分に当接される左右一対の当接部とを備えることを特徴とする。
【００１２】
又、コルセット用補助部材を背面部に取り付けたコルセットであって、前記背面部の内側の左側端部が、左側の脇面部の外側の右側端部に取り付けられるとともに、前記背面部の内側の右側端部が、右側の脇面部の外側の左側端部に取り付けられて、前記背面部が、左右一対の脇面部の外側から取り付けられることを特徴とする。
【発明の効果】
【００１３】
本発明に係るコルセット用補助部材及びこれを用いたコルセットによれば、背骨を痛めた患者が横になっても背骨を痛めること無く、安心して休養することが出来て、治療に要する期間を短縮することが可能となる。
【図面の簡単な説明】
【００１４】
【図１】本発明に係るコルセット用補助部材の概略図である。
【図２】本発明に係るコルセット用補助部材を患者の腰部背面に当てた場合の補助部材と患者の背骨との関係を示す概略図である。
【図３】本発明に係るコルセットの概略図である。
【図４】本発明に係るコルセットを患者の腰部背面に当てた場合の補助部材と患者の背骨との関係を示す概略図である。
【図５】実施例のコルセット用補助部材及びコルセットの概略図である。
【図６】実施例のコルセット用補助部材及びコルセットを患者の腰部背面に着用した場合の概略図である。
【図７】比較例のコルセットの概略図である。
【発明を実施するための形態】
【００１５】
以下に、添付図面を参照して、本発明に係るコルセット用補助部材及びこれを用いたコルセットの実施形態について説明し、本発明の理解に供する。尚、以下の実施形態は、本発明を具体化した一例であって、本発明の技術的範囲を限定する性格のものではない。
【００１６】
＜コルセット用補助部材＞
図１は、本発明に係るコルセット用補助部材の概略図であり、図１Ａは、本発明に係るコルセット用補助部材の内側を示す正面図であり、図１Ｂは、本発明に係るコルセット用補助部材の外側を示す背面図である。又、図１Ｃは、本発明に係るコルセット用補助部材の下側を示す底面図であり、図１Ｄは、図１ＡのＡ−Ａ線断面図である。
【００１７】
図２は、本発明に係るコルセット用補助部材を患者の腰部背面に当てた場合の補助部材と患者の背骨との関係を示す概略図であり、図２Ａは、本発明に係るコルセット用補助部材を患者の腰部背面に当てた場合の正面概略図であり、図２Ｂは、本発明に係るコルセット用補助部材を患者の腰部背面に当てた場合の底面概略図である。
【００１８】
本発明に係るコルセット用補助部材は、図１Ａ、図１Ｂ、図１Ｃ、図１Ｄに示すように、コルセットの背面部に取り付けられ、背骨を痛めた患者の腰部背面に当接されるコルセット用補助部材１であって、前記患者の腰部背面に巻き付けられる腰部背面固定部１０と、所定の厚みと柔軟性とを有し、上下方向に略長方形状であり、前記腰部背面固定部１０の内側の左右方向の中央近傍から側端近傍までの部分に取り付けられ、前記患者の腰部背面の背骨側端近傍から左右方向の側端近傍までの部分に当接される左右一対の当接部１１ａ、１１ｂとを備えることを特徴とする。
【００１９】
これにより、背骨を痛めた患者が横になっても背骨を痛めること無く、安心して休養することが出来て、治療に要する期間を短縮することが可能となる。
【００２０】
即ち、本発明に係るコルセット用補助部材１では、患者の腰部背面の背骨に対向する部分が、上下方向に丁度窪んだ（陥没した）構成になっている。前記補助部材１を左右方向に切断した断面形状は、患者の腰部背面に対して平坦な凹形状となり、凹部の中央に患者の背骨が、丁度置かれる。そのため、背骨を痛めた患者が、前記補助部材を腰部背面に取り付けると、図２Ａ、図２Ｂに示すように、左右一対の当接部１１ａ、１１ｂが、患者の腰部背面の背骨Ｓを避けて当該背骨Ｓの左右方向の両側面を当接し、当該背骨Ｓが圧迫されずに丁度浮き上がった状態となる。すると、患者が起立しても横になっても、背骨Ｓに負担がかからず、患者は、背骨Ｓを痛めることなく、安心して休養することが可能となる。その結果、患者の背骨Ｓの患部の治療を促進し、治療に要する期間を短縮することが可能となるのである。尚、本発明に係るコルセット用補助部材１を取り付けた患者は、畳やフローリング板に横になっても、背骨Ｓに負担がかからなくなる。
【００２１】
ここで、前記腰部背面固定部１０の形状は、本発明の目的を阻害しない限り、特に限定は無いが、例えば、患者の腰部の背面に対応するように、上方端部を上方向に漸近的に湾曲させた略正方形状が採用される。これにより、患者の腰部背面を適切に覆うことが可能となる。
【００２２】
又、前記腰部背面固定部１０の材質は、本発明の目的を阻害しない限り、特に限定は無いが、例えば、タオルケットのような生地、羊毛や木綿、麻の毛布のような生地、中綿の入ったキルティングのような生地、ポリウレタン等の弾力性と柔軟性に優れた合成樹脂、発泡樹脂、皮革のような生地等が採用される。
【００２３】
又、前記腰部背面固定部１０の厚みは、本発明の目的を阻害しない限り、特に限定は無いが、例えば、１．０ｍｍ〜１０．０ｍｍの範囲内とされる。これにより、後述するコルセットの内側の左右方向の中央部に、嵩張ること無く装着することが可能となる。
【００２４】
又、前記腰部背面固定部１０のサイズは、取り付けられる患者の身長や横幅に対応して適宜設計されるが、例えば、上下方向のサイズは、２０ｃｍ〜４０ｃｍの範囲内とされ、左右方向のサイズは、２０ｃｍ〜４０ｃｍの範囲内とされる。これにより、ほぼ全ての患者の腰部背面のサイズに共通して適用可能となる。
【００２５】
又、前記当接部１１ａ、１１ｂの形状は、本発明の目的を阻害しない限り、特に限定は無いが、例えば、前記腰部背面固定部１０の形状に対応して、上方端部を上方向に漸近的に湾曲させた略長方形状が採用される。これにより、左右一対の当接部１１ａ、１１ｂを、患者の腰部背面の背骨の両側面に十分に当接させることが可能となる。
【００２６】
又、前記当接部１１ａ、１１ｂの材質は、本発明の目的を阻害しない限り、特に限定は無いが、例えば、柔軟性に優れるタオルケットのような生地や前記腰部背面固定部１０の材質と同等の材質が採用される。
【００２７】
又、前記当接部１１ａ、１１ｂの厚みは、本発明の目的を阻害しない限り、特に限定は無いが、例えば、５．０ｍｍ〜１５．０ｍｍの範囲内とされる。これにより、左右一対の当接部１１ａ、１１ｂが、患者の腰部背面の背骨の両側面に当接することで、当該背骨を十分に浮かび上がらせて、負担を軽減させることが可能となる。
【００２８】
又、前記当接部１１ａ、１１ｂの厚みの、前記腰部背面固定部１０の厚みに対する割合は、本発明の目的を阻害しない限り、特に限定は無いが、例えば、１．５倍〜３．０倍の範囲内とされる。これにより、前記補助部材１を左右方向に切断した断面形状は、非常に平坦な凹形状となるため、患者の腰部背面を十分に当接するとともに、当該背骨を十分に浮かび上がらせることが可能となる。
【００２９】
又、前記当接部１１ａ、１１ｂの左右方向のサイズは、本発明の目的を阻害しない限り、特に限定は無いが、例えば、前記腰部背面固定部１０の左右方向のサイズの５分の１〜３分の１の範囲内とされる。これにより、左右一対の当接部１１ａ、１１ｂを腰部背面固定部１０の中央近傍から両側面までに取り付けると、当該腰部背面固定部１０の中央部が丁度窪んで、患者の背骨を十分に浮かび上がらせ、患者が左右に動いても、当該背骨に負担がかからないようにすることが可能となる。
【００３０】
又、前記当接部１１ａ、１１ｂの上下方向のサイズは、本発明の目的を阻害しない限り、特に限定は無いが、例えば、前記腰部背面固定部１０の上下方向のサイズと同等とされる。
【００３１】
又、前記当接部１１ａ、１１ｂの腰部背面固定部１０の内面への固定方法は、本発明の目的を阻害しない限り、特に限定は無いが、例えば、糸による縫合等が挙げられる。
【００３２】
又、前記当接部１１ａ、１１ｂの内面、つまり、患者の腰部背面と当接する当接面は、本発明の目的を阻害しない限り、特に限定は無いが、例えば、患者の腰部背面に負担がかからない程度の滑り止め加工が施されると好ましい。これにより、患者の腰部背面に一度当接部１１ａ、１１ｂを当接させれば、滑り止め加工により、当該当接部１１ａ、１１ｂの位置ズレを確実に防止し、患者が動くことによる背骨への接触を防止して、患者への負担を軽減することが可能となる。
【００３３】
ここで、前記滑り止め加工は、本発明の目的を阻害しない限り、特に限定は無いが、例えば、所定の太さの糸を所定方向に縫合して縫合跡の形状を滑り止め加工としたり、繊維の編目や織目の形状を滑り止め加工としたり、前記当接部１１ａ、１１ｂの内面にドット状に弾性体（例えば、液体シリコーンゴム等）を塗布して乾燥させ、このドット状の形状を滑り止め加工としたりすることが可能である。
【００３４】
又、前記補助部材１のコルセットへの取り付け方法は、本発明の目的を阻害しない限り、特に限定は無い。例えば、図１Ｂに示すように、前記補助部材１の外面の両側部に長方形状の一対の面ファスナー１２ａ、１２ｂを設け、後述するコルセットの内面の対応する位置に長方形状の一対の面ファスナーを設ける。両者を接合することで、前記補助部材１をコルセットへ着脱可能とする。前記面ファスナーのサイズは、前記補助部材１がコルセットから脱離しないのであれば、長方形状の全面であっても一面であっても良い。又、前記面ファスナーに代えてスナップボタン等の着脱手段でも構わない。
【００３５】
＜コルセット＞
図３は、本発明に係るコルセットの概略図であり、図３Ａは、本発明に係るコルセットの内側を示す正面図であり、図３Ｂは、本発明に係るコルセット用補助部材の外側を示す背面図である。又、図４は、本発明に係るコルセットを患者の腰部背面に当てた場合の補助部材と患者の背骨との関係を示す概略図であり、図４Ａは、図３ＡのＡ−Ａ線断面図であり、図４Ｂは、本発明に係るコルセットを患者の腰部背面に当てた場合の底面概略図である。
【００３６】
本発明に係るコルセットは、上述した補助部材１を取り付けられたコルセットであれば、本発明の目的を阻害しない限り、特に限定は無い。例えば、図３Ａ、図３Ｂに示すように、コルセット２の内面の左右方向の中央近傍で、前記補助部材１の一対の面ファスナー１２ａ、１２ｂに対応する位置に長方形状の一対の面ファスナー２０ａ、２０ｂを設け、当該コルセット２の一対の面ファスナー２０ａ、２０ｂに、前記補助部材１の一対の面ファスナー１２ａ、１２ｂをそれぞれ接合することで、本発明に係るコルセットとなる。
【００３７】
前記コルセット２は、図３Ａ、図３Ｂ、図４Ａに示すように、患者の腰部脇面を覆う左右一対の脇面部２１ａ、２１ｂと、患者の腰部背面を覆う背面部２２と、患者の腰部正面を覆う腹部２３とを備え、左右方向の一端に対応する腹部２３を覆って、一方（右側）の脇面部２１ａの外側の左側端部に所定数（例えば、３つ）のベルト部２４を付設し、左右方向の他端に対応する他方（左側）の脇面部２１ｂの外側の右側端部に、前記ベルト部２４と着脱される止着部２５を付設している。
【００３８】
ここで、前記面ファスナー２０ａ、２０ｂ、脇面部２１ａ、２１ｂ、背面部２２、腹部２３、ベルト部２４、止着部２５は、それぞれ縫合により縫着される。
【００３９】
更に、前記コルセット２は、前記背面部２２の内側の左側端部が、左側の脇面部２１ａの外側の右側端部に取り付けられるとともに、前記背面部２２の内側の右側端部が、右側の脇面部２１ｂの外側の左側端部に取り付けられて、前記背面部２２が、左右一対の脇面部２１ａ、２１ｂの外側から装着されている。
【００４０】
これにより、本発明に係るコルセット２は、前記補助部材１と同様に、図４Ｂに示すように、患者の腰部背面の背骨Ｓに対向する部分が、上下方向に丁度窪んだ構成となり、前記コルセット２を左右方向に切断した断面形状は、患者の腰部背面に対して平坦な凹形状となる。つまり、前記コルセット２の凹部の中央に患者の背骨Ｓが、丁度置かれる。そのため、前記補助部材１と同様に、患者の背骨Ｓへの圧迫を解消するため、背骨Ｓに負担がかからず、患者は安心して休養することが可能となるのである。
【００４１】
又、本発明に係るコルセット２では、左右一対の脇面部２１ａ、２１ｂを紐で締結するのではなく、前記背面部２２を介して当該脇面部２１ａ、２１ｂを連設しているため、前記紐が患者の背骨に当たることが無い。そのため、更に背骨にかかる負担を軽減することが可能となる。
【００４２】
ここで、前記背面部２２の左右方向のサイズは、本発明の目的を阻害しない限り、特に限定は無いが、例えば、図３、図４に示すように、前記補助部材１の断面形状の凹部の左右方向のサイズと同等のサイズであると好ましい。これにより、患者の背面に補助部材１を当てた状態でコルセット２を巻き付けても、患者の背骨が収まる補助部材１の断面形状の凹部とコルセット２の断面形状の凹部とが対応するため、患者の背骨への圧迫が殆どかからず、背骨への負担を軽減することが可能となる。
【００４３】
又、前記背面部２２の材質は、本発明の目的を阻害しない限り、特に限定は無いが、例えば、通気性と柔軟性の優れるメッシュ織り生地や伸縮自在の合成樹脂織布等の生地が採用される。又、左右一対の脇面部２１ａ、２１ｂ、腹部２３の材質も同様である。
【００４４】
又、前記ベルト部２４、止着部２５の着脱形態は、本発明の目的を阻害しない限り、特に限定は無いが、例えば、前記ベルト部２４の内側の一面に面ファスナーを設けるとともに、前記止着部２５の外側の一面に面ファスナーを設け、当該ベルト部２４の面ファスナーと当該止着部２５の面ファスナーとを接合したり離脱したりすることで、両者が着脱される。これにより、従来のベルト方式による着脱形態と比較して、患者が、面ファスナーの止着位置により、コルセット２の引き締め具合を適宜調整することが出来るため、患者の感覚に対応したコルセット２の着用形態を実現することが可能となる。
【００４５】
又、前記左右一対の脇面部２１ａ、２１ｂの上端部は、本発明の目的を阻害しない限り、特に限定は無いが、例えば、下方向に適度に切り込みを入れて凹湾曲形状としている。これにより、患者が前記コルセット２を装着したとしても、両脇に存在する左右一対の腕を円滑に動かすことが可能となる。
【００４６】
又、前記左右一対の脇面部２１ａ、２１ｂには、補強するために、適宜、上下方向に縦長の補強片（補強バネ）を付設しても構わない。前記補強片は、例えば、合成樹脂や皮革等で構成される。
【００４７】
＜実施例、比較例等＞
以下、実施例、比較例等によって本発明を具体的に説明するが、本発明はこれにより限定されるものではない。
【００４８】
＜実施例＞
図５は、実施例のコルセット用補助部材及びコルセットの概略図であり、図５Ａは、実施例のコルセット用補助部材及びコルセットの内側を示す正面図であり、図５Ｂは、実施例のコルセットの外側を示す背面図である。
【００４９】
実施例のコルセット用補助部材１は、図５Ａに示すように、厚さが５．０ｍｍのタオルケットの生地を、上下方向のサイズが３０ｃｍ、左右方向のサイズが２８ｃｍの略正方形状に切断し、腰部背面固定部１０とした。又、前記タオルケットの生地を、上下方向のサイズが３０ｃｍ、左右方向のサイズが８ｃｍの略長方形状に切断し、この略長方形状を２つ作製して、それぞれ左右一対の当接部１１ａ、１１ｂとした。
【００５０】
次に、前記腰部背面固定部１０の内側の中央を空けて、左右一対の当接部１１ａ、１１ｂを相互に９ｃｍの間隔を開くように上下方向に平行に配置し、当該腰部背面固定部１０と左右一対の当接部１１ａ、１１ｂとを縫合した。更に、市販の雄型の面ファスナー１２ａ、１２ｂを、前記腰部背面固定部１０の外側の中央近傍の四隅に固定・縫合して、実施例のコルセット用補助部材１を完成させた。
【００５１】
又、実施例のコルセット２は、市販のコルセット（川村義肢株式会社製）の構成部材である左右一対の脇面部２１ａ、２１ｂと背面部２２とを分解し、図５Ａ、図５Ｂに示すように、背面部２２の内側の左側端部を、左側の脇面部２１ａの外側の右側端部に縫合するとともに、前記背面部２２の内側の右側端部を、右側の脇面部２１ｂの外側の左側端部に縫合して、前記背面部２２を左右一対の脇面部２１ａ、２１ｂの外側から固定した。
【００５２】
又、市販の雌型の面ファスナー２０ａ、２０ｂを、コルセット２の内側の中央近傍の四隅に対応する、右側の脇面部２１ａの内側の右側端部と、左側の脇面部２１ｂの内側の左側端部とにそれぞれ固定・縫合した。
【００５３】
更に、前記コルセット２の腹部２３を覆って、右側の脇面部２１ａの外側の左側端部に付設されたベルト部２４の内側に、市販の雄型の面ファスナーを取り付けるとともに、左側の脇面部２１ｂの外側の右側端部に付設された止着部２５の外側に、市販の雌型の面ファスナーを取り付けた。これにより、実施例のコルセット２を完成させた。
【００５４】
そして、図５Ａに示すように、前記補助部材１の外側の面ファスナー１２ａ、１２ｂを前記コルセット１の内側の面ファスナー２０ａ、２０ｂに合わせて、当該補助部材１をコルセット２に取り付けた。
【００５５】
図６は、実施例のコルセット用補助部材及びコルセットを患者の腰部背面に着用した場合の概略図である。
【００５６】
図６に示すように、患者が、実施例のコルセット１の背面部２２を、実施例の補助部材１を介して腰部背面に当てて、腹部２３、右側の脇面部２１ａを右側の脇面に引き回すとともに、左側の脇面部２１ｂを左側の脇面に引き回し、両者を引き締める。そして、患者は、右側の脇面部２１ａのベルト部２４の面ファスナーを左側の脇面部２１ｂの止着部２５の面ファスナーにより止着することで、実施例のコルセット２を容易に着用することが出来る。
【００５７】
ここで、実施例の補助部材１及びコルセット２の背面部２２は、患者の背骨を避けるように外側に凹部を形成していることから、実施例のコルセット２を着用した患者が、歩行したり横に寝そべったりしても、背骨が圧迫されることが無い。そのため、患者は、背骨の患部を必要以上に痛めること無く、快適に過ごすことが可能となる。
【００５８】
特に、実施例のコルセット２を着用した患者がベッドに横になっても、背骨が圧迫されないため、患者は、痛みを伴わずに安心して休養することが可能となる。
【００５９】
ここで、背骨を骨折した患者（男性、年齢７０代）に実施例のコルセット２を着用して休養させたところ、背骨の骨折の治療に要する期間は１週間で済んだ。
【００６０】
＜比較例＞
図７は、比較例のコルセットの概略図であり、図７Ａは、比較例のコルセットの内側を示す正面図であり、図７Ｂは、比較例のコルセットの外側を示す背面図である。又、図７Ｃは、比較例のコルセットを患者の腰部背面に着用した場合の概略図である。
【００６１】
比較例のコルセット３は、従来技術に対応し、市販のコルセット（川村義肢株式会社製）をそのまま利用した。比較例のコルセット３では、左右一対の脇面部３１ａ、３１ｂが、所定の紐３０で締結されており、背面部３２が内側から固定されている。この紐３０は、左右一対の脇面部３１ａ、３１ｂにそれぞれ設けられた通し金具を介して結ばれている。又、比較例のコルセット３では、腹部３３を覆うベルト部３４が、輪状の金具の止着部３５を介して締結されるように構成されている。
【００６２】
図７Ｃに示すように、患者が、比較例のコルセット３を着用したところ、腰部背面に、丁度、紐３０のつなぎ目や紐３０の結び目が対向するため、当該コルセット３を着用した患者が、歩行したり横になったりすると、紐３０のつなぎ目や紐３０の結び目が突起物として患者の背骨に当たり、患者に激痛が走ることになる。又、左右一対の脇面部３１ａ、３１ｂの通し金具や止着部３５の金具も突起物として患者に当接し、患者は不快を感じることになる。
【００６３】
特に、比較例のコルセット３を着用した患者がベッドに横になると、自己の体重により、紐３０の突起物は背骨へ大きく圧迫し、患者は、著しい痛みを感じることになる。そのため、患者は、大きく痛みを伴いながら休養することになる。
【００６４】
尚、比較例のコルセット３と患者の腰部背面との間にタオルケット等の緩衝材を敷く方法も考えられるが、上述した突起物を前記緩衝材で和らげるためには、相当の厚みの緩衝材が必要となり、コルセット３全体として嵩張ってしまうという問題が生じる。又、通常のタオルケット等の緩衝材では、患者の動きに応じて位置ズレを起こしてしまうという問題が生じる。
【００６５】
ここで、背骨を骨折した患者（男性、年齢７０代）に比較例のコルセット３を着用して休養させたところ、背骨への痛みが激しいことから、ゆっくり休養出来ず、背骨の骨折の治療に要する期間は３週間ぐらいかかった。他の患者であれば、腰部背面の皮膚がただれた例もある。
【００６６】
従って、実施例のコルセット用補助部材１及びコルセット２は、背骨を痛めた患者が横になっても背骨を痛めること無く、安心して休養することが出来て、治療に要する期間を短縮することが出来るのである。
【００６７】
このように、本発明に係るコルセット用補助部材は、コルセットの背面部に取り付けられ、背骨を痛めた患者の腰部背面に当接されるコルセット用補助部材１であって、前記患者の腰部背面に巻き付けられる腰部背面固定部１０と、所定の厚みと柔軟性とを有し、上下方向に略長方形状であり、前記腰部背面固定部１０の内側の左右方向の中央近傍から側端近傍までの部分に取り付けられ、前記患者の腰部背面の背骨側端近傍から左右方向の側端近傍までの部分に当接される左右一対の当接部１１ａ、１１ｂとを備えることを特徴とする。
【００６８】
又、本発明に係るコルセット２は、前記補助部材１が取り付けられ、前記背面部２２の内側の左側端部が、左側の脇面部２１ａの外側の右側端部に取り付けられるとともに、前記背面部２２の内側の右側端部が、右側の脇面部２１ｂの外側の左側端部に取り付けられて、前記背面部２２が、左右一対の脇面部２１ａ、２１ｂの外側から取り付けられることを特徴とする。
【００６９】
これにより、背骨を痛めた患者が横になっても背骨を痛めること無く、安心して休養することが出来て、治療に要する期間を短縮することが可能となる。
【産業上の利用可能性】
【００７０】
以上のように、本発明に係るコルセット用補助部材及びこれを用いたコルセットは、医療、整形外科等の分野に好適であり、背骨を痛めた患者が横になっても背骨を痛めること無く、安心して休養することが出来て、治療に要する期間を短縮することが可能なコルセット用補助部材及びこれを用いたコルセットとして有効である。
【符号の説明】
【００７１】
１  コルセット用補助部材
１０  腰部背面固定部
１１ａ、１１ｂ  当接部
１２ａ、１２ｂ  面ファスナー
２  コルセット
２０ａ、２０ｂ  面ファスナー
２１ａ、２１ｂ  脇面部
２２  背面部
２３  腹部
２４  ベルト部
２５  止着部
【図１】
2014236808.tif 000003
【図２】
2014236808.tif 000004
【図３】
2014236808.tif 000005
【図４】
2014236808.tif 000006
【図５】
2014236808.tif 000007
【図６】
2014236808.tif 000008
【図７】
2014236808.tif 000009
【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
背骨を骨折した患者の腰部背面を覆うコルセットの背面部の内側に取り付けられ、当該患者の腰部背面に当接されるコルセット用補助部材であって、
前記患者の腰部背面を覆う腰部背面固定部と、
所定の厚みと柔軟性とを有し、上下方向に略長方形状であり、前記腰部背面固定部の内側の左右方向の中央を空けて、前記腰部背面固定部の内側の左右方向の中央近傍から側端近傍までの部分に取り付けられ、前記患者の腰部背面の背骨側端近傍から左右方向の側端近傍までの部分に当接される左右一対の当接部と
を備え、
前記左右一対の当接部の厚みは、５．０ｍｍ〜１５．０ｍｍの範囲内とされ、
前記患者の腰部背面の背骨に対向する部分が、背骨長軸の上下方向にわたって丁度窪んだ構成となり、
前記患者が本コルセット用補助部材を腰部背面に取り付けると、前記左右一対の当接部が、当該患者の腰部背面の背骨を避けて当該背骨の左右方向の両側面を当接し、当該背骨が圧迫されずに丁度浮き上がった状態となる
ことを特徴とするコルセット用補助部材。
【請求項２】
請求項１に記載のコルセット用補助部材を前記背面部の内側に取り付けたコルセットであって、
前記背面部と、前記患者の腰部脇面を覆う左右一対の脇面部と、前記患者の腰部正面を覆う腹部とを備え、
前記背面部の内側の左側端部が、左側の脇面部の外側の右側端部に取り付けられるとともに、前記背面部の内側の右側端部が、右側の脇面部の外側の左側端部に取り付けられて、前記背面部が、左右一対の脇面部の外側から取り付けられ、前記患者の腰部背面の背骨に対向する部分が、背骨長軸の上下方向にわたって丁度窪んだ構成となることを特徴とするコルセット。
【手続補正２】
【補正対象書類名】明細書
【補正対象項目名】００１１
【補正方法】変更
【補正の内容】
【００１１】
即ち、背骨を骨折した患者の腰部背面を覆うコルセットの背面部の内側に取り付けられ、当該患者の腰部背面に当接されるコルセット用補助部材であって、前記患者の腰部背面を覆う腰部背面固定部と、所定の厚みと柔軟性とを有し、上下方向に略長方形状であり、前記腰部背面固定部の内側の左右方向の中央を空けて、前記腰部背面固定部の内側の左右方向の中央近傍から側端近傍までの部分に取り付けられ、前記患者の腰部背面の背骨側端近傍から左右方向の側端近傍までの部分に当接される左右一対の当接部とを備え、前記左右一対の当接部の厚みは、５．０ｍｍ〜１５．０ｍｍの範囲内とされ、前記患者の腰部背面の背骨に対向する部分が、背骨長軸の上下方向にわたって丁度窪んだ構成となり、前記患者が本コルセット用補助部材を腰部背面に取り付けると、前記左右一対の当接部が、当該患者の腰部背面の背骨を避けて当該背骨の左右方向の両側面を当接し、当該背骨が圧迫されずに丁度浮き上がった状態となることを特徴とする。
【手続補正３】
【補正対象書類名】明細書
【補正対象項目名】００１２
【補正方法】変更
【補正の内容】
【００１２】
又、コルセット用補助部材を前記背面部の内側に取り付けたコルセットであって、前記背面部と、前記患者の腰部脇面を覆う左右一対の脇面部と、前記患者の腰部正面を覆う腹部とを備え、前記背面部の内側の左側端部が、左側の脇面部の外側の右側端部に取り付けられるとともに、前記背面部の内側の右側端部が、右側の脇面部の外側の左側端部に取り付けられて、前記背面部が、左右一対の脇面部の外側から取り付けられ、前記患者の腰部背面の背骨に対向する部分が、背骨長軸の上下方向にわたって丁度窪んだ構成となることを特徴とする。